Podtech/llm-jp-corpus-v4-ja_patent huggingface dataset:
【手続補正書】
【提出日】平成23年7月11日(2011.7.11)
【手続補正１】
【補正対象書類名】特許請求の範囲
【補正対象項目名】全文
【補正方法】変更
【補正の内容】
【特許請求の範囲】
【請求項１】
硬化療法を実施するように適合された治療用カテーテルであって：
カテーテルの縦方向軸を定めるシャフト；
シャフト上に設けられた、選択的に膨張可能で収縮可能な遠位側バルーン；
遠位側バルーンと流体連通しており、かつ、遠位側バルーンを選択的に膨張および収縮させるためのバルーン膨張／収縮用の内腔と流体連通する側孔；
造影剤および硬化薬用の内腔ならびに治療される静脈の内腔と流体連通する側孔であって、遠位側バルーンから内腔における下流に造影剤および硬化薬を注入するように適合された側孔；
を含む治療用カテーテル。
【請求項２】
ガイドワイヤに内部を移動させるように適合されたガイドワイヤ用の内腔をさらに含む、請求項１に記載の治療用カテーテル。
【請求項３】
選択的に膨張可能で収縮可能な近位側バルーンをさらに含み、遠位側バルーンと近位側バルーンが、それらの間で治療される静脈の内腔を画定する、請求項１または２に記載の治療用カテーテル。
【請求項４】
治療用カテーテルは、近位側バルーンと遠位側バルーンとの間で治療される静脈の内腔内に硬化薬を注入するように適合される、請求項３に記載の治療用カテーテル。
【請求項５】
シャフトの遠位側端部に設けられ、かつ、ＩＳＶのオリフィスと係合するように適合された係合用先端部をさらに含む、請求項３に記載の治療用カテーテル。
【請求項６】
硬化療法を実施するように適合された治療用カテーテルであって：
選択的に膨張可能で収縮可能な近位側バルーン；ならびに
選択的に膨張可能で収縮可能な遠位側バルーン；
を含み、近位側バルーンおよび遠位側バルーンが、それらの間で硬化療法により治療される内腔を規定する、治療用カテーテル。
【請求項７】
近位側バルーンおよび遠位側バルーンのための専用の膨張／収縮用内腔をさらに含む、請求項６に記載の治療用カテーテル。
【請求項８】
専用の各膨張／収縮用内腔ならびに近位側バルーンおよび遠位側バルーンと流体連通する側孔をさらに含む、請求項７に記載の治療用カテーテル。
【請求項９】
少なくとも１つのバルーンは内腔内における流れを実質的に抑制するように適合される、請求項６に記載の治療用カテーテル。
【請求項１０】
治療用カテーテルは、近位側バルーンと遠位側バルーンとの間の内腔内に硬化薬を注入するように適合される、請求項６に記載の治療用カテーテル。
【請求項１１】
ガイドワイヤに内部を移動させるように適合されたガイドワイヤ用の内腔をさらに含む、請求項６に記載の治療用カテーテル。
【請求項１２】
造影剤および硬化薬の輸送用の内腔をさらに含む、請求項６に記載の治療用カテーテル。
【請求項１３】
カテーテルの遠位側端部に設けられ、かつ、ＩＳＶのオリフィスと係合するように適合された係合用先端部をさらに含む、請求項６〜１２のいずれかに記載の治療用カテーテル。
【請求項１４】
予め設定された形状を有する誘導用カテーテルであって：
内部を通る治療用カテーテルを近位側端部において受け入れるのに適した内腔を画定する細長いチューブ；および
チューブの先端部における少なくとも１つの突出部であって、右ＩＳＶ弁の凹部と係合するように適合された突出部
を含む誘導用カテーテル。
【請求項１５】
誘導用カテーテルの遠位側端部に設けられた、選択的に膨張可能で収縮可能なバルーンをさらに含む、請求項１４に記載の誘導用カテーテル。
【請求項１６】
バルーンが先端部における少なくとも１つの突出部である、請求項１５に記載の誘導用カテーテル。
【請求項１７】
チューブは、少なくとも１７０度の第１の曲がりを定める、請求項１４に記載の誘導用カテーテル。
【請求項１８】
第１の曲がりとは反対向きの第２の曲がりを含み、第２の曲がりは、右ＩＳＶがＩＶＣに入る角度に近づけるように適合されており、かつ、第１の曲がりの遠位側に設けられている、請求項１７に記載の誘導用カテーテル。
【請求項１９】
カテーテルの長さは６００ｍｍから７００ｍｍである、請求項１４に記載の誘導用カテーテル。
【請求項２０】
遠位側バルーンは、バルーンが配置される脈管構造物を実質的に閉塞させ、これにより流体の流れを妨害するように適合される、請求項１４に記載の誘導用カテーテル。
【請求項２１】
誘導用カテーテルには、ガイドワイヤ、またはバルーンを選択的に膨張および収縮させるためのエアの少なくとも一方のために内腔が設けられている、請求項１５に記載の誘導用カテーテル。
【請求項２２】
細長いチューブの遠位側端部に設けられ、かつ、ＩＳＶのオリフィスと係合するように適合された係合用先端部をさらに含む、請求項１５に記載の誘導用カテーテル。
【請求項２３】
選択的に膨張可能で収縮可能なバルーンが、係合用先端部の少なくとも一部である、請求項２２に記載の誘導用カテーテル。
【請求項２４】
誘導用カテーテルは可撓性である、請求項１４〜２３のいずれかに記載の誘導用カテーテル。
【請求項２５】
予め設定された形状を有する誘導用カテーテルであって：
内部を通る治療用カテーテルを近位側端部において受け入れるのに適した内腔を画定する細長いチューブ
を含み、細長いチューブの形状は、左腎静脈および左ＩＳＶ内に配置するように適合される誘導用カテーテル。
【請求項２６】
細長いチューブは、左腎静脈がＩＶＣに入る角度に近い７０〜１３０度の第１の曲がりおよび左ＩＳＶが左腎静脈に入る角度に近い約１００〜１２５度の第２の曲がりを有する、請求項２５に記載の誘導用カテーテル。
【請求項２７】
誘導用カテーテルの長さは６５０ｍｍである、請求項２５に記載の誘導用カテーテル。
【請求項２８】
誘導用カテーテルの遠位側端部に設けられた、選択的に膨張可能で収縮可能なバルーンをさらに含む、請求項２５に記載の誘導用カテーテル。
【請求項２９】
遠位側バルーンは、バルーンが配置される脈管構造物を実質的に閉塞させ、これにより流体の流れを妨害するように適合される、請求項２８に記載の誘導用カテーテル。
【請求項３０】
誘導用カテーテルには、ガイドワイヤ、またはバルーンを選択的に膨張および収縮させるためのエアの少なくとも一方のために内腔が設けられている、請求項２８または２９に記載の誘導用カテーテル。
【手続補正書】
【提出日】平成23年5月25日(2011.5.25)
【手続補正１】
【補正対象書類名】特許請求の範囲
【補正対象項目名】全文
【補正方法】変更
【補正の内容】
【特許請求の範囲】
【請求項１】
酸化反応の触媒作用において活性である少なくとも１つの成分と、そのための担体を含み、担体がウラニウム化合物、特に酸化ウラニウムをベースとすることを特徴とする、塩化水素を酸化するための触媒。
【請求項２】
酸素による塩化水素の気相接触酸化における請求項１記載の触媒の使用。
【請求項３】
請求項１記載の触媒を使用することを特徴とする、酸素による塩化水素の気相接触酸化を含んでなる塩素を製造する方法。
【手続補正書】
【提出日】平成23年5月25日(2011.5.25)
【手続補正１】
【補正対象書類名】特許請求の範囲
【補正対象項目名】全文
【補正方法】変更
【補正の内容】
【特許請求の範囲】
【請求項１】
触媒が触媒活性成分として少なくともウラニウムまたはウラニウム化合物と担体材料を含むことを特徴とする、塩化水素を接触酸化するための触媒。
【請求項２】
ウラニウムまたはウラニウム化合物が酸化ウラニウムまたはＵＯ2.1からＵＯ2.9の化学量論的組成のウラニウム酸化物の混合物の形で存在することを特徴とする、請求項１に記載の触媒。
【請求項３】
活性成分がウラニウムまたはウラニウム化合物を含むことを特徴とする、活性成分と担体材料を含む触媒の存在において塩化水素を接触酸化することにより塩素を製造するための方法。
【請求項４】
ウラニウムまたはウラニウム化合物が酸化ウラニウムまたはＵＯ2.1からＵＯ2.9の化学量論的組成のウラニウム酸化物の混合物の形で存在することを特徴とする、請求項３に記載の方法。
【手続補正書】
【提出日】平成23年6月24日(2011.6.24)
【手続補正１】
【補正対象書類名】明細書
【補正対象項目名】０１４３
【補正方法】変更
【補正の内容】
【０１４３】
【表４】
2010533012.tif 000001
【手続補正２】
【補正対象書類名】特許請求の範囲
【補正対象項目名】全文
【補正方法】変更
【補正の内容】
【特許請求の範囲】
【請求項１】
表面を有する骨組織内への埋め込みのための、該表面が酸化物層によって被覆されているインプラントであって、酸化物層がストロンチウムイオンを含むことを特徴とするインプラント。
【請求項２】
インプラントが金属インプラントである、請求項１に記載のインプラント。
【請求項３】
金属インプラントがチタン又はチタンの合金を含む、請求項２に記載のインプラント。
【請求項４】
インプラントが非金属インプラントであって、該表面が塗布された金属インプラント層である、請求項１に記載のインプラント。
【請求項５】
金属インプラント層がチタン又はチタンの合金を含む、請求項４に記載のインプラント
。
【請求項６】
酸化物層が２から１００ｎｍの範囲内の厚みを有する、請求項１〜５の何れか１項に記載のインプラント。
【請求項７】
酸化物層が２から１８ｎｍの範囲内の厚みを有する、請求項６に記載のインプラント。
【請求項８】
酸化物層が２から６ｎｍの範囲内の厚みを有する、請求項６又は７に記載のインプラント。
【請求項９】
酸化物層が、インプラントの表面から形成される金属酸化物層である、請求項１〜８の何れか１項に記載のインプラント。
【請求項１０】
酸化物層の上面に更に沈着物を含み、ここで該沈着物が骨刺激剤を含む、請求項１〜９の何れか１項に記載のインプラント。
【請求項１１】
骨刺激剤が、ストロンチウム、リチウム、マグネシウム及びカルシウム又はその組合せから成るグループから選ばれる、請求項１０に記載のインプラント。
【請求項１２】
沈着物が、ストロンチウム、リチウム、マグネシウム及びカルシウムから選ばれるイオンの任意の１つ又は組合せを含む塩析沈殿である、請求項１０又は１１に記載のインプラント。
【請求項１３】
塩析沈殿がストロンチウム塩析沈殿である、請求項１２に記載のインプラント。
【請求項１４】
インプラントが、リン酸カルシウム化合物を含む被覆を有しない、請求項１〜１３の何れか１項に記載のインプラント。
【請求項１５】
インプラントの表面がミクロ粗さを含む、請求項１〜１４の何れか１項に記載のインプラント。
【請求項１６】
インプラントの表面がフッ素を含む、請求項１〜１５の何れか１項に記載のインプラント。
【請求項１７】
ストロンチウムイオンを含む酸化物層によって被覆されたインプラント表面を有する骨組織インプラントの製造方法であって、以下の工程：
ａ）インプラント表面を有するインプラントを備えること；
ｂ）該インプラント表面を被覆する酸化物層を形成すること；
ｃ）該酸化物層上に負に荷電したイオンを形成すること；及び
ｄ）該酸化物層をストロンチウムイオンと接触させること；
を含む方法。
【請求項１８】
酸化物層が自然に形成される、請求項１７に記載の方法。
【請求項１９】
酸化物層上の負に荷電したイオンが、インプラント表面をアルカリ性環境に晒すことによって形成される、請求項１７又は１８に記載の方法。
【請求項２０】
アルカリ性環境が、インプラント表面をアルカリ性溶液に晒すことによって形成される、請求項１９に記載の方法。
【請求項２１】
酸化物層上の負に荷電したイオンが、−０.５Ｖから−３.５Ｖの範囲内の電位を印加することによって形成される、請求項１７〜１９の何れか１項に記載の方法。
【請求項２２】
工程ｃ及び工程ｄが同時に行われる、請求項１７〜２１の何れか１項に記載の方法。
【請求項２３】
酸化物層を、ストロンチウムイオンを含む溶液に晒すことによって、該酸化物層がストロンチウムイオンと接触する、請求項１７〜２２の何れか１項に記載の方法。
【請求項２４】
溶液が水酸化ストロンチウムを含む、請求項２３に記載の方法。
【請求項２５】
溶液が０.０３Ｍ又はそれ以下の濃度で水酸化ストロンチウムを含む、請求項２４に記載の方法。
【請求項２６】
酸化物層の上面に骨刺激剤を含む沈着物を形成する工程を更に含む、請求項１７〜２５の何れか１項に記載の方法。
【請求項２７】
骨刺激剤が、ストロンチウム、リチウム、カルシウム及びマグネシウム、又はその組合せから成るグループから選ばれる、請求項２６に記載の方法。
【請求項２８】
沈着物が、ストロンチウム、リチウム、カルシウム及びマグネシウムから選ばれるイオンの任意の１つ又は組合せを含む塩を、酸化物層の上に沈殿させることによって形成される、請求項２６又は２７に記載の方法。
【請求項２９】
塩が水酸化ストロンチウムである、請求項２８に記載の方法。
【請求項３０】
沈着物が−３.５Ｖより負の電位を印加することによって形成される、請求項２８又は２９に記載の方法。
【請求項３１】
インプラント表面を、０.０３Ｍより高い濃度で水酸化ストロンチウムを含むアルカリ性溶液に晒すことによって、沈着物が形成される、請求項２９又は３０に記載の方法。
【請求項３２】
工程ａ）の後で、インプラントの表面上にミクロ粗さを作出する工程を更に含む、請求項１７〜３１の何れか１項に記載の方法。
【請求項３３】
インプラントの該表面にフッ素を塗布する工程を更に含む、請求項１７〜３２の何れか１項に記載の方法。
【請求項３４】
金属酸化物を含むブラスチング粉末であって、該金属酸化物がストロンチウムイオンを含むブラスチング粉末。
【請求項３５】
金属酸化物が二酸化チタンである、請求項３４に記載のブラスチング粉末。
【請求項３６】
金属酸化物が酸化ストロンチウムである、請求項３４に記載のブラスチング粉末。
【請求項３７】
ストロンチウムイオン又はその塩、及び薬学的に許容可能な担体を含む組成物を投与が必要なヒトに投与することによって骨形成を局所的に増大させる方法。
【請求項３８】
埋め込み部位で、骨組織における空洞中に、インプラントが置かれる前に、同時に及び／又は後で、該埋め込み部位で骨組織内にインプラントを埋め込む際に、該埋め込み部位で該組成物が投与される、請求項３７に記載の方法。
【請求項３９】
骨形成を局所的に増大させるための薬学的組成物を製造するためのストロンチウムイオン又はその塩の使用。
【請求項４０】
埋め込み部位で、骨組織内にインプラントを埋め込む際に、該埋め込み部位で組成物が局所的に投与される、請求項３９に記載の使用。
【請求項４１】
インプラントを含む骨組織内へのインプラントの埋め込みのためのキットであって、該キットが、ストロンチウムイオン又はその塩、及び薬学的に許容可能な担体を含む組成物を更に含むことを特徴とするキット。
【手続補正書】
【提出日】平成23年6月30日(2011.6.30)
【手続補正１】
【補正対象書類名】特許請求の範囲
【補正対象項目名】全文
【補正方法】変更
【補正の内容】
【特許請求の範囲】
【請求項１】
神経刺激システムにおいて、
ａ）空間的アレイに配置された複数の刺激電極と、
ｂ）全ての刺激電極の異なるサブセットに対する電気パルスの順次的な供給を制御するコントローラと、
を有する神経刺激システム。
【請求項２】
前記コントローラが、少なくとも１つのパルス生成器と、異なる刺激電極に対して前記パルス生成器により生成されたパルスを分配するパルス分配装置とを有することを特徴とする、
請求項１に記載の神経刺激システム。
【請求項３】
前記神経刺激システムが、関連付けられたパルス分配装置を各々持つ複数のパルス生成器を有することを特徴とする、
請求項２に記載の神経刺激システム。
【請求項４】
前記神経刺激システムが、複数のパルス生成器を有し、前記パルス分配装置が、全ての刺激電極の異なるサブセットに対して異なるパルス生成器を結合することができることを特徴とする、
請求項２に記載の神経刺激システム。
【請求項５】
前記パルス分配装置が、刺激電極のサブセットに対するパルス生成器の一定のルーティングを有することを特徴とする、
請求項２に記載の神経刺激システム。
【請求項６】
前記パルス分配装置が、前記パルス生成器により生成されたパルスを個別の刺激電極に対して及び／又は刺激電極のサブセットに対して多重化する多重化ユニットを有することを特徴とする、
請求項２に記載の神経刺激システム。
【請求項７】
前記コントローラが、前記刺激電極のサブセットに対して循環的に前記電気パルスを印加することを特徴とする、
請求項１に記載の神経刺激システム。
【請求項８】
前記コントローラが、異なる刺激電極に対して異なる波形の電気パルスを供給することを特徴とする、
請求項１に記載の神経刺激システム。
【請求項９】
前記神経刺激システムが、複数のプローブを有し、前記複数のプローブが、空間的アレイに配置され、前記複数のプローブの各々が、少なくとも１つの刺激電極を持つことを特徴とする、
請求項１に記載の神経刺激システム。
【請求項１０】
各サブセットが、１つの関連付けられたプローブのみからの刺激電極を有することを特徴とする、
請求項９に記載の神経刺激システム。
【請求項１１】
前記プローブが、軸方向の延在部を持ち、前記軸に関して互いに平行に配置されることを特徴とする、
請求項９に記載の神経刺激システム。
【請求項１２】
前記刺激電極のサブセットは、前記サブセットの活性化体積が接するように配置されることを特徴とする、
請求項１に記載の神経刺激システム。
【請求項１３】
前記プローブが、前記プローブの直径の約１倍ないし１０倍の値に相当する互いからの距離に配置されることを特徴とする、
請求項９に記載の神経刺激システム。
【請求項１４】
前記プローブが、約２０ｍｍ2ないし約４００ｍｍ2の面積にわたり分配されることを特徴とする、
請求項９に記載の神経刺激システム。
【請求項１５】
空間的アレイに配置された神経刺激システムの複数の刺激電極を制御する方法において、
ａ）電気パルスのシーケンスを生成するステップと、
ｂ）刺激電極の異なるサブセットに対して順次的に前記パルスを分配するステップと、
を有する方法。
【手続補正書】
【提出日】平成23年7月8日(2011.7.8)
【手続補正１】
【補正対象書類名】特許請求の範囲
【補正対象項目名】全文
【補正方法】変更
【補正の内容】
【特許請求の範囲】
【請求項１】
植物中で活性な調節領域に機能的に連結された、インフルエンザヘマグルチニン（HA）をコードするヌクレオチド配列を含む核酸。
【請求項２】
前記インフルエンザHAが、H1、H2、H3、H4、H5、H6、H7、H8、H9、H10、H11、H12、H13、H14、H15及びH16から成る群から選択される、請求項1に記載の核酸。
【請求項３】
以下の工程を含む、インフルエンザウイルス様粒子（VLP）を植物中で製造する方法：
a）請求項1に記載の核酸を前記植物又はその部分に導入する工程、及び
b）前記核酸の発現を許容する条件下で前記植物をインキュベートし、それによりVLPを製造する工程。
【請求項４】
前記導入工程（工程a）において、前記核酸が前記植物中で一過性に発現される、請求項3に記載の方法。
【請求項５】
前記導入工程（工程a）において、前記核酸が前記植物中で安定的に発現される、請求項3に記載の方法。
【請求項６】
（c）宿主を採集し、VLPを精製する工程をさらに含む、請求項3に記載の方法。
【請求項７】
インフルエンザウイルスヘマグルチニン（HA）タンパク質及び1つ以上の植物由来脂質を含む、請求項３に記載の方法により製造されたウイルス様粒子（VLP）。
【請求項８】
前記インフルエンザHAタンパク質が、H5インドネシアである、請求項7に記載のウイルス様粒子（VLP）。
【請求項９】
免疫応答を誘発させるための請求項7に記載のVLPの有効用量及び医薬的に許容し得る担体を含む組成物。
【請求項１０】
インフルエンザウイルス感染に対する免疫を対象者において誘発するための薬剤の製造のための、請求項7に記載のウイルス様粒子の使用。
【請求項１１】
前記薬剤が、対象者に対し、経口的に、皮内に、鼻内に、筋肉内に、腹腔内に、静脈内に又は皮下に投与されるものである、請求項10に記載の使用。
【請求項１２】
植物特異的N-グリカン又は改変N-グリカンをもつインフルエンザウイルスHAを含む、請求項３に記載の方法により製造されたウイルス様粒子（VLP）。
【請求項１３】
免疫応答を誘発させるための請求項12に記載のVLPの有効用量及び医薬的に許容し得る担体を含む組成物。
【請求項１４】
インフルエンザウイルス感染に対する免疫を対象者において誘発するための薬剤の製造のための、請求項13に記載の組成物の使用。
【請求項１５】
前記組成物が、対象者に対して、経口的に、皮内に、鼻内に、筋肉内に、腹腔内に、静脈内に又は皮下に投与されるものである、請求項14に記載の使用。
【手続補正書】
【提出日】平成23年2月22日(2011.2.22)
【手続補正１】
【補正対象書類名】特許請求の範囲
【補正対象項目名】全文
【補正方法】変更
【補正の内容】
【特許請求の範囲】
【請求項１】
３次元の仮想世界とユーザとのやりとりの方法であって、前記ユーザは前記仮想世界ではアバターによって表現され、前記ユーザは前記アバターをユーザインタフェースを介して操作することができ、前記方法は、
前記アバターに対するカスタムジェスチャを生成することと、
前記ジェスチャにひとつ以上のユーザインタフェース信号を関連付けることと、
前記ユーザのリアルタイムの内的な感情の状態を、前記アバターによって表現される外的な感情として表現することと、を含み、
前記ユーザのリアルタイムの内的な感情の状態を表現することは、
３Ｄカメラを使用したビデオ通信中に前記ユーザのひとつ以上の画像を取得することによってユーザの感情の状態を検出することと、
前記ユーザの内的な感情の状態を決定するために前記ひとつ以上の画像の中の前記ユーザのひとつ以上の顔色を解析し、前記カスタムジェスチャを行う前記アバターの画像が前記ユーザの特定の内的な感情の状態の検出に応じて提示されるようにすることと、を含む、方法。
【請求項２】
前記ユーザインタフェース信号をひとつ以上の他のユーザに配ることをさらに備える請求項１に記載の方法。
【請求項３】
前記カスタムジェスチャを生成することは、そのジェスチャを行う行為者をモーションキャプチャすることもしくはパフォーマンスキャプチャすることを含む、請求項１に記載の方法。
【請求項４】
前記行為者は前記ユーザである、請求項３に記載の方法。
【請求項５】
前記仮想空間のなかでの前記カスタムジェスチャを穏当なものとすることをさらに含む請求項１に記載の方法。
【請求項６】
前記カスタムジェスチャを穏当なものとすることは、所定の基準に基づいて、特定のユーザがアバターに前記カスタムジェスチャを行わせることのできる範囲を制限すること、もしくは所定の基準に基づいて、前記特定のユーザが前記カスタムジェスチャを行うアバターを知覚できる範囲を制限することを含む、請求項５に記載の方法。
【請求項７】
前記所定の基準は、前記ユーザの年齢、前記ジェスチャを見る人の年齢、もしくは宗教、民族もしくは見る人の他の帰属先に基づき見る人が侮辱と感じうる感受性を含む、請求項６に記載の方法。
【請求項８】
前記アバターのひとつ以上の他の特徴をカスタマイズし、前記ユーザかつ／またはアバターをあるソーシャルグループに結び付けることをさらに含む請求項１に記載の方法。
【請求項９】
前記アバターのひとつ以上の他の特徴をカスタマイズすることは、前記アバターの衣服、履き物、髪型もしくは民族的特徴をカスタマイズすることを含む、請求項８に記載の方法。
【請求項１０】
前記ユーザの感情の状態を検出することは、前記ユーザの声の抑揚を解析することを含む、請求項１に記載の方法。
【請求項１１】
前記ユーザの感情の状態を検出することは、前記ビデオ通信のユーザ部分の間、前記ユーザの感情の状態を示す生物測定学的データを解析することを含む請求項１に記載の方法。
【請求項１２】
前記生物測定学的データは、心電計（ＥＫＧ）データ、脳波（ＥＥＧ）データ、皮膚電気反射データ、もしくはサーモグラフィデータを含む、請求項１１に記載の方法。
【請求項１３】
前記ユーザの感情の状態を検出することは、前記ビデオ通信のユーザ部分の間、リアルタイムで前記ユーザの感情の状態を追跡することを含む、請求項１に記載の方法。
【請求項１４】
前記ユーザのリアルタイムの内的な感情の状態を、前記アバターによって表現される外的な感情として表現することは、前記カスタムジェスチャを行う前記アバターの画像が前記ユーザの特定の内的な感情の状態の検出に応じて別のユーザのデバイスに提示されるようにすることを含む、請求項１に記載の方法。
【手続補正書】
【提出日】平成23年4月1日(2011.4.1)
【手続補正１】
【補正対象書類名】特許請求の範囲
【補正対象項目名】全文
【補正方法】変更
【補正の内容】
【特許請求の範囲】
【請求項１】
ゲーム又はパズルにおける人のパフォーマンスに基づいて人のストレスレベルを判定するシステムであって、
・キャリブレーション段階において、ゲーム又はパズルにおいて前記人のパフォーマンスを測定するステップと、前記ゲーム又はパズルをするときに前記人の与えられたストレスレベルに前記パフォーマンスをリンクづけする情報を記憶するステップとを実行し、
・動作段階において、再度、前記ゲーム又はパズルにおいて前記人のパフォーマンスを測定するステップと、当該測定されたパフォーマンス及び前記キャリブレーション段階において記憶された情報に基づいて前記人のストレスレベルを判定するステップとを実行する、
システム。
【請求項２】
請求項１に記載のストレスレベルを判定するシステムであって、前記キャリブレーション段階において、前記ゲーム又はパズルにおいて前記人のパフォーマンスを測定するステップと、前記人の与えられたストレスレベルに前記パフォーマンスをリンクづけする情報を記憶するステップとを、複数回、実行するシステム。
【請求項３】
請求項１に記載のストレスレベルを判定するシステムであって、前記キャリブレーション段階において前記与えられたストレスレベルの前記人の指示を受けるシステム。
【請求項４】
請求項１に記載のストレスレベルを判定するシステムであって、前記キャリブレーション段階において前記与えられたストレスレベルを測定するシステム。
【請求項５】
請求項１に記載のストレスレベルを判定するシステムであって、初期時に前記キャリブレーション段階を実行し、それを周期的に繰り返すシステム。
【請求項６】
請求項１に記載のストレスレベルを測定するシステムであって、前記動作段階における当該判定されたストレスレベルが高い場合に前記人に対するアクションを行うシステム。
【請求項７】
請求項６に記載のストレスレベルを判定するシステムであって、前記動作段階における当該判定されたストレスレベルが所定時間期間にわたり高い場合に前記人に対するアクションを行うシステム。
【請求項８】
請求項６に記載のストレスレベルを判定するシステムであって、前記アクションは、警告の発生である、システム。
【請求項９】
請求項６に記載のストレスレベルを判定するシステムであって、前記アクションは、前記人に娯楽を提供することである、システム。
【請求項１０】
請求項１に記載のストレスレベルを判定するシステムであって、前記動作段階において、前記人の同様の活動レベルの時間帯において前記ゲーム又はパズルをするよう前記人に促すシステム。
【請求項１１】
請求項１０に記載のストレスレベルを判定するシステムであって、前記動作段階において、当該日にちの同様の時間において前記ゲーム又はパズルをするよう前記人に促すシステム。
【請求項１２】
請求項１に記載のストレスレベルを判定するシステムであって、前記ゲームは、中立語及び感情語を有する言葉記憶ゲームである、システム。
【請求項１３】
請求項１に記載のストレスレベルを判定するシステムであって、前記ゲームは、言葉が印刷されている色の名前を人に呼ばせることである、システム。
【請求項１４】
ゲーム又はパズルにおいて人のパフォーマンスに基づいて人のストレスレベルを判定する方法であって、
・キャリブレーション段階において、ゲーム又はパズルにおいて人のパフォーマンスを測定し、前記ゲーム又はパズルをするときに前記人の与えられたストレスレベルに前記パフォーマンスをリンクづけする情報を記憶するステップと、
・動作段階において、再度、前記ゲーム又はパズルにおいて前記人のパフォーマンスを測定し、当該測定されたパフォーマンス及び前記キャリブレーション段階において記憶された情報に基づいて前記人のストレスレベルを判定するステップと、
を有する方法。
【請求項１５】
コンピュータプログラムであって、当該プログラムがコンピュータにおいて実行されるときに、請求項１４に記載のステップを行うように適合させられたコンピュータプログラムコード手段を有するプログラム。
【請求項１６】
請求項１５に記載のコンピュータプログラムであって、コンピュータ読取可能媒体において具現化されているプログラム。
【請求項１７】
請求項１５に記載のコンピュータプログラムを担持するキャリア媒体。
【手続補正書】
【提出日】平成23年6月3日(2011.6.3)
【手続補正１】
【補正対象書類名】特許請求の範囲
【補正対象項目名】全文
【補正方法】変更
【補正の内容】
【特許請求の範囲】
【請求項１】
エネルギー伝達デバイスの操作方法であって、
アクセスデバイスをルーメンに配置することと、
細長い本体の遠位端におけるエネルギー伝達ユニットが該アクセスデバイスから突出するまで、該アクセスデバイスに沿ってエネルギー伝達デバイスの細長い本体を前進させることと、
エネルギー伝達要素が該ルーメンの側壁に接触するように該エネルギー伝達ユニットを拡張させることと、
該ルーメンの該側壁にエネルギーが伝達されるように該エネルギー伝達デバイスに結合されたエネルギー供給源を活性化することであって、該エネルギー伝達ユニットを拡張させ、該エネルギー供給源を活性化させている間に、一人の人間が、該アクセスデバイスと該エネルギー伝達デバイスとの両方を物理的に操作する、ことと
を含む、方法。
【請求項２】
前記一人の人間は、前記エネルギー供給源を活性化させる間に、前記アクセスデバイスと前記エネルギー伝達デバイスとの両方を保持する、請求項１に記載の方法。
【請求項３】
前記細長い本体を前進させることは、前記アクセスデバイスの作業ルーメンを通して該細長い本体を押す間に、前記一人の人間の１つの手の親指の末節骨と人差し指の末節骨とによって該細長い本体を保持することを含み、
前記エネルギー伝達ユニットを拡張させることは、該一人の人間の該１つの手の第２の指から第４の指のうちの１つによってアクチュエータを動かすことを含み、該アクチュエータは、該エネルギー伝達ユニットに操作可能なように結合されている、請求項１に記載の方法。
【請求項４】
前記アクチュエータは、第１の部分と第２の部分とを有するハンドルの一部分であり、
該アクチュエータを動かすことは、前記一人の人間の前記１つの手において該第１の部分と該第２の部分とを圧搾することを含む、請求項３に記載の方法。
【請求項５】
前記アクセスデバイスを配置することは、前記一人の人間の第１の手によって前記ルーメンを通して前記アクセスデバイスを動かすことを含み、
前記細長い本体を前進させることは、該一人の人間の第２の手によって該アクセスデバイスの作業ルーメンを通して該細長い本体を押すことを含み、
前記エネルギー伝達ユニットを拡張させることは、該一人の人間の該第２の手によって該エネルギー伝達ユニットに操作可能なように結合されたアクチュエータを動かすことを含む、請求項１に記載の方法。
【請求項６】
前記第２の手によって前記細長い本体を前進させることは、前記作業ルーメンを通して該細長い本体を押す間に、該一人の人間の該第２の手の親指の末節骨と人差し指の末節骨とによって該細長い本体を保持することを含み、
前記エネルギー伝達ユニットを拡張させることは、該第２の手によって前記アクチュエータを動かすことを含み、該動かすことは、該一人の人間の該第２の手の第２の指から第４の指のうちの１つによってハンドルを圧搾することを含む、請求項５に記載の方法。
【請求項７】
前記ハンドルは、第１の部分と該第１の部分に回転可能なように取り付けられた第２の部分とを含み、前記細長い本体は、該第１の部分および該第２の部分のうちの１つに結合されており、該細長い本体内のワイヤが、該第１の部分および該第２の部分のうちの１つに結合されており、その結果、該第１の部分と該第２の部分との間の相対的回転が、該細長い本体に沿って該ワイヤを長手方向に動かし、該第１の部分は第１の湾曲表面を有し、該第２の部分は第２の湾曲表面を有し、該第１の湾曲表面と該第２の湾曲表面とは、該第１の湾曲表面と該第２の湾曲表面とが双曲線のような形状のグリップを画定するように配置され、
該ハンドルを圧搾することは、該第１の部分と該第２の部分とを互いに対して回転させることを含む、請求項６に記載の方法。
【請求項８】
前記ハンドルは、グリップと、前記細長い本体に結合され、該グリップの上部分に位置するヘッドと、該細長い本体内のワイヤに結合されたアクチュエータ機構とを含み、該ヘッドは、該グリップの一部分が該ヘッドよりも狭くなるように、該グリップから外側に突出しており、
該ハンドルを圧搾することは、該アクチュエータ機構を動かすことを含む、請求項６に記載の方法。
【請求項９】
無線周波数エネルギー伝達デバイスであって、
細長い本体であって、近位部分と、遠位部分と、該近位部分および該遠位部分に沿って延びているルーメンとを有する細長い本体と、
該ルーメンを通って延びているワイヤと、
該細長い本体の該遠位部分におけるエネルギー伝達要素であって、該ワイヤに取り付けられているエネルギー伝達要素と、
ハンドルであって、グリップと、該細長い本体の該近位部分に結合され、該グリップの上部分に位置するヘッドと、該ワイヤに結合されたアクチュエータ機構とを有し、該ヘッドは、該グリップの一部分が該ヘッドよりも狭くなるように、該グリップから外側に突出している、ハンドルと
を含む、エネルギー伝達デバイス。
【請求項１０】
前記ハンドルは、第１の部分と該第１の部分に回転可能なように取り付けられた第２の部分とを含み、前記アクチュエータは、該第１の部分および該第２の部分のうちの１つによって画定される、請求項９に記載のエネルギー伝達デバイス。
【請求項１１】
前記第２の部分は、ノッチ付のフランジを有し、前記第１の部分は、該第１の部分に旋回可能なように取り付けられたレバーを有し、該レバーは、該ノッチ内の第１の端部と、該ワイヤに取り付けられた第２の端部とを有する、請求項１０に記載のエネルギー伝達デバイス。
【請求項１２】
前記エネルギー伝達要素は電極を含む、請求項９に記載のエネルギー伝達デバイス。
【請求項１３】
前記細長い本体は、カテーテルを含み、該カテーテルは、内壁を有するカバーと、該カバーの該内壁に結合されたコイルと、該コイル内のルーメンとを含み、該ワイヤは、該コイルの該ルーメンを通って延びている、請求項９に記載のエネルギー伝達デバイス。
【請求項１４】
前記エネルギー伝達要素は、電極を含み、
前記ハンドルのヘッドは、第１の湾曲表面を有し、該ハンドルのグリップは、該第１の湾曲表面とで双曲線のような形状のグリップを画定するように配置される第２の湾曲表面を有する、請求項９に記載のエネルギー伝達デバイス。
【請求項１５】
前記ハンドルの前記アクチュエータのストローク長さは、約５ｍｍ〜約４０ｍｍの範囲である、請求項９に記載のエネルギー伝達デバイス。
【手続補正書】
【提出日】平成23年5月27日(2011.5.27)
【手続補正１】
【補正対象書類名】特許請求の範囲
【補正対象項目名】全文
【補正方法】変更
【補正の内容】
【特許請求の範囲】
【請求項１】
近心側の部分と、
遠心側の部分と、
前記近心側の部分と前記遠心側の部分とを連結するブリッジの部分と、
を備え、前記近心側の部分、前記遠心側の部分、及び前記ブリッジの部分はセラミック材料を含み、
更に、概ね近心側−遠心側の方向に前記近心側の部分及び前記遠心側の部分にわたって延び、前記ブリッジの部分から顔面側の方向に位置するアーチワイヤスロットと、
概ね咬合側−歯肉側の方向に延び、前記ブリッジの部分から舌側の方向に位置するくぼみと、
前記アーチワイヤスロット内にアーチワイヤを解放可能に保持するための、前記ブリッジの部分に結合されたクリップと、
を備え、
前記クリップの少なくとも一部分が前記くぼみ内に延び、前記クリップが前記顔面側の方向に面する開口を有し、更に、前記ブリッジの部分が前記クリップを貫いて延びる、歯科矯正ブラケット。
【手続補正書】
【提出日】平成23年6月15日(2011.6.15)
【手続補正１】
【補正対象書類名】特許請求の範囲
【補正対象項目名】全文
【補正方法】変更
【補正の内容】
【特許請求の範囲】
【請求項１】
被験者の心機能を解析するシステムにおいて、
被験者に取り付けられるように構成された複数の電極と、
上記複数の電極に接続されたプロセッサとを備え、
上記プロセッサは、
（ａ）複数の周波数を有する電気信号の上記被験者への印加を制御し、
（ｂ）上記印加された信号に応答して上記被験者から電気信号を受信し、
（ｃ）上記印加された電気信号と受信された電気信号とを比較することによって、特性周波数を決定し、
（ｄ）上記特性周波数でのインピーダンスの少なくとも１つの成分を決定し、
（ｅ）上記特性周波数で決定された上記インピーダンスの上記少なくとも１つの成分を用いて心機能の測定値を決定するように構成されたシステム。
【請求項２】
上記プロセッサに接続され、上記被験者に印加される上記複数の電気信号を発生する信号発生器をさらに備えた請求項１記載のシステム。
【請求項３】
上記印加された複数の電気信号に応答して上記被験者からの上記複数の電気信号を検出する１つ又はそれ以上のセンサをさらに備えた請求項１記載のシステム。
【請求項４】
上記インピーダンスの上記少なくとも１つの成分に、上記被験者の身体的な特徴に基づく定数を含む１つ又はそれ以上の定数を乗算することによって、上記心機能の測定値を決定する処理論理をさらに備えた請求項１記載のシステム。
【請求項５】
上記プロセッサと通信して、上記被験者の身体的な特徴の少なくともいくつかを入力する入力装置をさらに備えた請求項１記載のシステム。
【手続補正書】
【提出日】平成23年5月27日(2011.5.27)
【手続補正１】
【補正対象書類名】特許請求の範囲
【補正対象項目名】全文
【補正方法】変更
【補正の内容】
【特許請求の範囲】
【請求項１】
低体温システムであって：
流体源と；
患者の腹膜腔に挿入されるよう適合された流体送達部材と；
前記流体源にフィードバック制御を提供することなく、前記腹膜腔内で流体圧を制限するよう適合されたキャビティ圧制限器とを含むことを特徴とするシステム。
【請求項２】
請求項１のシステムがさらに、前記腹膜腔から流体を抽出すべく適合された流体抽出部材を含むことを特徴とするシステム。
【請求項３】
請求項２に記載のシステムにおいて、前記キャビティ圧制限器が、前記流体抽出部材を通る流体の流れを制御する圧力逃がし弁を含むことを特徴とするシステム。
【請求項４】
請求項２に記載のシステムにおいて、前記流体抽出部材が、入口におもりを有することを特徴とするシステム。
【請求項５】
請求項１に記載のシステムにおいて、前記流体源がポンプを含み、前記キャビティ圧制限器が、前記ポンプのトルクリミッタを含むことを特徴とするシステム。
【請求項６】
請求項５のシステムにおいて、前記トルクリミッタが、クラッチプレートを含むことを特徴とするシステム。
【請求項７】
請求項１に記載のシステムにおいて、前記流体送達部材が、多ルーメントロカールを含むことを特徴とするシステム。
【請求項８】
請求項１に記載のシステムがさらに、前記流体送達部材に支持される熱交換成分を含むことを特徴とするシステム。
【請求項９】
請求項１に記載のシステムにおいて、前記流体源が、高張性の氷スラリと低張性の冷たい流体とを含むことを特徴とするシステム。
【請求項１０】
請求項９に記載のシステムにおいて、前記高張性のスラリと低張性の冷たい流体との組み合わせが等張であることを特徴とするシステム。
【請求項１１】
請求項１に記載のシステムがさらに、経胃的な送達器具を含むことを特徴とするシステム。
【請求項１２】
請求項１に記載のシステムがさらに、経直腸的な送達器具を含むことを特徴とするシステム。
【請求項１３】
請求項１に記載のシステムがさらに、患者の温度センサを含むことを特徴とするシステム。
【請求項１４】
請求項１３に記載のシステムにおいて、前記温度センサが、気管内のカフに取り付けられることを特徴とするシステム。
【請求項１５】
請求項１３に記載のシステムにおいて、前記温度センサが、食道カテーテルに取り付けられることを特徴とするシステム。
【請求項１６】
請求項１３のシステムにおいて、前記温度センサが、膀胱カテーテルに取り付けられることを特徴とするシステム。
【請求項１７】
請求項１に記載のシステムがさらに、前記患者に自動循環を提供されるよう適合されたＣＰＲ機を含むことを特徴とするシステム。
【請求項１８】
請求項１に記載のシステムがさらに、冷却ブランケットを含むことを特徴とするシステム。
【請求項１９】
腹膜内の低体温法または高体温法を受ける患者の核心温度をモニタする装置であって、当該装置が：
前記患者の尿道に挿入されるよう適合されたカテーテルと；
前記カテーテルに接続され核心温度を検知すべく適合されたセンサとを含むこと特徴とする装置。
【請求項２０】
請求項１９に記載の装置がさらに、前記カテーテルの遠位端に接続され、膀胱に接続されるよう適合し、前記カテーテルが前記尿道から抜けるのを防ぐ遠位停留部材を具えることを特徴とする装置。
【請求項２１】
請求項２０に記載の装置において、前記遠位停留部材が、バルーンであることを特徴とする装置。
【請求項２２】
請求項２０に記載の装置において、前記センサが、前記遠位滞留部材に近い前記カテーテルに接続されることを特徴とする装置。
【請求項２３】
請求項１９に記載の装置において、前記センサが、前記尿道内の複数の位置で温度を検知すべく適合された複数のセンサを含むことを特徴とする装置。
【請求項２４】
腹膜内の低体温法または高体温法を受ける患者の核心温度をモニタする装置であって、当該装置が：
前記患者の気道から呼気をサンプルすべく適合された気道管理機構と；
前記装置に接続され、核心温度を検知すべく適合されたセンサとを含むことを特徴とする装置。
【請求項２５】
請求項２４に記載の装置において、前記気道管理機構が、気管内のチューブを含むことを特徴とする装置。
【請求項２６】
請求項２４に記載の装置において、前記気道管理機構が、カテーテルを含むことを特徴とする装置。
【請求項２７】
請求項２４に記載の装置において、前記気道管理機構が、フェースマスクを含むことを特徴とする装置。
【請求項２８】
請求項２４に記載の装置において、前記センサが、前記呼気の温度を検知すべく適合することを特徴とする装置。
【請求項２９】
請求項２４に記載の装置がさらに、前記気道管理機構の遠位端に接続され、前記気道に接続されるべく適合し、前記気道管理機構が動くのを防止する遠位停留部材を具えることを特徴とする装置。
【請求項３０】
請求項２９に記載の装置において、前記遠位停留部材が、バルーンであることを特徴とする装置。
【請求項３１】
請求項２９に記載の装置において、前記センサが、前記遠位停留部材に接続されていることを特徴とする装置。
【請求項３２】
請求項２４に記載の装置において、前記センサが、前記気道内の複数の位置で温度を検知すべく適合された複数のセンサを含むことを特徴とする装置。
【請求項３３】
腹膜内の低体温法または高体温法を受ける患者の核心温度をモニタする装置であって、当該装置が：
前記患者の腹膜内ではない組織に挿入されるべく適合するカテーテルと；
前記カテーテルに接続され、前記腹膜内ではない組織内の複数の配置で温度を検知すべく適合された複数のセンサと；
前記複数のセンサに接続され、前記複数のセンサによって検知された温度から核心温度を決定するよう適合されたプロセッサとを含むことを特徴とする装置。
【請求項３４】
請求項３３に記載の装置において、前記プロセッサがさらに、所定範囲内に入る温度を有する前記複数のセンサが検知した温度の部分を選択すべく適合することを特徴とする装置。
【請求項３５】
請求項３３に記載の装置において、前記カテーテルが、食道に挿入されるべく適合されたことを特徴とする装置。
【請求項３６】
請求項３３に記載の装置において、前記カテーテルが、尿道に挿入されるべく適合されたことを特徴とする装置。
【請求項３７】
請求項３３に記載の装置がさらに、前記プロセッサに接続され、前記プロセッサによって決定される前記核心温度に基づき、前記患者に与えられる腹膜内の低体温または高体温のレベルを調整すべく適合された加熱および冷却装置を具えることを特徴とする装置。
【手続補正書】
【提出日】平成23年6月23日(2011.6.23)
【手続補正１】
【補正対象書類名】特許請求の範囲
【補正対象項目名】全文
【補正方法】変更
【補正の内容】
【特許請求の範囲】
【請求項１】
塗装材料を霧化、放出する装置において、
霧化器と、該霧化器に着脱自在に結合された電極組立体とを具備し、
前記電極組立体を前記霧化器から取外すことによって、該霧化器と電極から成る組立体よりも小さな開口部に前記霧化器を導入可能とした塗装材料の霧化、放出装置。
【手続補正書】
【提出日】平成23年8月2日(2011.8.2)
【手続補正１】
【補正対象書類名】明細書
【補正対象項目名】００２９
【補正方法】変更
【補正の内容】
【００２９】
図２を参照すると、上端部キャップ１６が示されている。図２に示す実施の形態では、上端部キャップ１６は、側壁３６と床３８と取っ手構造４０とを含む。下端部キャップ１４と同様に、上端部キャップ１６は、半径方向の外側方向に延在する幾つかの半円凹部４１および軸方向に延在する幾つかの溝４２を含む。上端部キャップ１６は、また、概して側壁３６の外面４８上に形成される少なくとも２つの位置決め突起４６も含む。
【手続補正２】
【補正対象書類名】図面
【補正対象項目名】図２
【補正方法】変更
【補正の内容】
【図２】
2010533068.tif 000001
【手続補正３】
【補正対象書類名】図面
【補正対象項目名】図３
【補正方法】変更
【補正の内容】
【図３】
2010533068.tif 000002
【手続補正４】
【補正対象書類名】図面
【補正対象項目名】図７
【補正方法】変更
【補正の内容】
【図７】
2010533068.tif 000003
【手続補正５】
【補正対象書類名】図面
【補正対象項目名】図８
【補正方法】変更
【補正の内容】
【図８】
2010533068.tif 000004
【手続補正６】
【補正対象書類名】図面
【補正対象項目名】図１１
【補正方法】変更
【補正の内容】
【図１１】
2010533068.tif 000005
【手続補正書】
【提出日】平成23年6月14日(2011.6.14)
【手続補正１】
【補正対象書類名】特許請求の範囲
【補正対象項目名】全文
【補正方法】変更
【補正の内容】
【特許請求の範囲】
【請求項１】
平坦な踏み込みプレートと平坦な対向プレート（１、２）からなる自転車ペダルにおいて、
この平坦な踏み込みプレートと平坦な対向プレート（１、２）は同一であるため、ペダルの位置に応じて、踏み込みプレート（１）が対向プレート（２）になることも可能であり、かつ、逆にもなることが可能であり、
踏み込みプレート（１）と対向プレート（２）との間に、踏み込みプレートと対向プレートの間隔を生成する中間部（３）が配置され、
この中間部（３）は、ペダル軸（４）のためのベアリング部の収容のために孔（５）を備え、
踏み込みプレートと対向プレート（１、２）の領域で、孔（５）と中間部（３）の外側表面の間の材料ブリッジ（ａ）がゼロに近づき、
踏み込みプレート（１）の力の伝導が、ベアリング部（６）上に、ほぼ直接的になされ、かつ、踏み込みプレートと対向プレート（１、２）との接続は、少なくとも２つの、ハウジング部（６）の両側に配置された接続要素（９）によってなされていることを特徴とする自転車ペダル。
【請求項２】
請求項１に記載の自転車ペダルにおいて、
中間部（３）は、孔（５）及び接続要素（９）の配置領域で、一体の材料から構成され、かつ、踏み込みプレート及び対向プレート（１、２）の間の回転する端部（１５）を固定するブリッジから構成されることを特徴とする自転車ペダル。
【請求項３】
請求項１又は２に記載の自転車ペダルにおいて、
中間部（３）は、薄板状の木材層からなることを特徴とする自転車ペダル。
【請求項４】
請求項１又は２に記載の自転車ペダルにおいて、
中間部（３）は、ひし形形態を備えていることを特徴とする自転車ペダル。
【請求項５】
請求項１乃至４のいずれかに記載の自転車ペダルにおいて、
踏み込みプレートと対向プレートの間の中間部（３）は、外周にコーティング（１６）を備えていることを特徴とする自転車ペダル。
【請求項６】
請求項５に記載の自転車ペダルにおいて、
コーティング（１６）は、踏み込みプレート及び対向プレート（１、２）の幅の狭い外側外周面を覆っており、かつ、それによって保護されていることを特徴とする自転車ペダル。
【請求項７】
請求項１乃至６のいずれかに記載の自転車ペダルにおいて、
空洞（１３、１４）の開口部に、外側に見える公告手段がはめ込まれ、及び／又は、
回転する端部（１５）、及び／又は、コーティング（１６）、及び／又は、中間部（３）も外側に見せる宣伝文句を備えていることを特徴とする自転車ペダル。
【請求項８】
請求項１乃至７のいずれかに記載の自転車ペダルにおいて、
ベアリング部（６）は、２つのペダル軸上に配置されたベアリング（７、８）からなり、
一方のベアリング（７）又は（８）が、ベアリング差込部（１７）で支えられ、
ベアリング差込部（１７）は、孔（５）にはめ込まれ、固定される一方で、他方のベアリング（８）又は（７）が、孔（５）で直接支えられることを特徴とする自転車ペダル。
【請求項９】
請求項１乃至７のいずれかに記載の自転車ペダルにおいて、
ベアリング部（６）は、ペダル軸（４）と、ペダル軸（４）上で動かされるベアリングブッシング（１８）との間に摩擦接合と、孔（５）で支えられるベアリング（７）又は（８）とを備え、
ベアリングブッシング（１８）は、孔（５）にはめ込まれ、固定されることを特徴とする特徴とする自転車ペダル。
【請求項１０】
請求項８又は９に記載の自転車ペダルにおいて、
自転車フレームの近傍に配置されたペダル軸（４）上の内側ベアリング（７）は、ベアリング差込部（１７）又はベアリングブッシング（１８）に固定され、一方で、外側ハウジング（８）は、中間部（３）の内部に配置され、かつ、踏み込みプレート及び対向プレート（１、２）の間の接続によって、固定されることを特徴とする特徴とする自転車ペダル。
【請求項１１】
請求項１乃至１０のいずれかに記載の自転車ペダルにおいて、
ペダル軸（４）は、内側ベアリング（７）と外側ベアリング（８）との間で先細になることを特徴とする自転車ペダル。
【請求項１２】
請求項１乃至１１のいずれかに記載の自転車ペダルにおいて、
中間層（３）は、踏み込みプレート及び対向プレートによって覆い可能な開口部（１９）を、孔（５）の一部分に備え、
開口部（１９）にはめ込まれたベアリング部（６）は、止め輪又は留め金（１２）を用いて固定可能であることを特徴とする自転車ペダル。
【請求項１３】
請求項１２に記載の自転車ペダルにおいて、
溝状の深部（１０）にかみ合う止め輪又は留め金（１２）は、同時に、溝状の拡張する部分（１１）にはまり込み、かつ、それによって、ペダル部のずれが、ペダル軸上で防止されるように、孔（５）は、少なくとも１つの環溝状の拡張する部分（１１）を備え、かつ、ベアリング差込部（１７）又はベアリングブッシング（１８）は、少なくとも１つの溝状の深部（１０）を備えていることを特徴とする自転車ペダル。
【請求項１４】
請求項１２又は１３に記載の自転車ペダルにおいて、
少なくとも１つの互いに接続している踏み込みプレート又は対向プレート（１、２）は、止め輪又は留め金（１２）に作用し、
この止め輪又は留め金（１２）は、ベアリング差込部（１７）−中間部（３）、又は、ベアリングブッシング（１８）−中間部（３）との接続で、遊びがなく固定されていることを特徴とする自転車ペダル。
【請求項１５】
請求項１乃至１４のいずれかに記載の自転車ペダルおいて、
踏み込みプレート及び対向プレート（１、２）は、特殊鋼、又は、マグネシウム、又は、アルミニウム、又は、チタン、又は、複合材料、又は、それらの組合せからなることを特徴とする自転車ペダル。